(57)【要約】【課題】  ローラー電極の回転が滑らかで、磨耗し難く、被治療者の体毛や皮膚がローラー部に巻き込まれることを抑止した電位治療器における局部治療具を提供すること。【解決手段】  回転軸２３とローラー電極１２との間に導電性ベアリング２１Ａ，２１Ｂを挿入することで金属性の騒音を抑止し、回転が滑らかで、且つ磨耗し難くする。また、ローラー設置口３１の先端部の形状に丸みを持たせることで、被治療者の体毛や皮膚がローラー部２０に巻き込まれることを抑止する。【選択図】      図３
0003117485.tif 000002
【実用新案登録請求の範囲】
【請求項１】
被治療者の身体に高電位を印加して、前記高電位の作用により前記被治療者の治療や健康増進を図る電位治療器における局部治療具であって、
被治療者の手によって把持される把持部と、被治療者の局部に高電位を印加するためのローラー電極とを備え、且つ前記ローラー電極と回転軸との間に挿入されているベアリングが、導電性樹脂で形成されていることを特徴とする電位治療器における局部治療具。
【請求項２】
請求項１記載の電位治療器における局部治療具において、被治療者の局部に高電位を印加するためのペン電極を配設したことを特徴とする電位治療器における局部治療具。
【請求項３】
前記把持部の延長線上に、前記ローラー電極を収納するローラーホルダーを内部に配設する胴体部を備え、前記胴体部より前記ローラー電極を突出させるローラー設置口の先端部の形状に丸みを持たせることにより、被治療者の体毛や皮膚が前記ローラーホルダー内に巻き込まれることを抑止したことを特徴とする請求項１記載の電位治療器における局部治療具。
【請求項４】
前記ローラー電極及び／または前記ペン電極に、電位治療器本体からの高電位が被治療者の身体に印加されている時にはランプを点灯させるネオンパネルを備えたことを特徴とする請求項１乃至３のいずれか１項に記載の電位治療器における局部治療具。
【考案の詳細な説明】
【技術分野】
【０００１】
本考案は、電位治療器における局部治療具に関し、特に、被治療者の身体局部にペン電極やローラー電極を介して高電位を印加し、この高電位の作用により、当該被治療者の病気の治療や、健康増進を図る電位治療器における局部治療具に関する。
【背景技術】
【０００２】
従来、電位治療器は、絶縁された被治療者の身体に高電位を印加して、この電位の作用で被治療者の病気の治療や、健康増進を図るものである。
被治療者に高電位を付加する手段として、治療マットや、椅子などが使用されているが、被治療者の身体局部に限定して高電位を付加する手段として、ペン電極やローラー電極も使用されている。
【０００３】
電位治療器の局部治療具（電子ペン）に関する技術として、例えば、特許文献１（特開２００２−１４３３２３号公報）、特許文献２（特開２００２−１４３３２４号公報）、及び特許文献３（特開２００２−１４３３２５号公報）には、治療マットと局部治療具（電子ペン）を備えた電位治療器において、電気回路を工夫することにより、被治療者が、治療マット使用時には局部治療具（電子ペン）の電極からの放電によるショックを受けないようにする技術が開示されている。
【０００４】
また、特許文献４（特開２００１−１３７３５８号公報）には、治療マットと電子ペンの両方のプラグを、高電位を供給する本体部の差込穴に同時に挿入することができないようにする技術が開示されている。
また、電位治療器のローラー電極に関する技術として、例えば、特許文献５（特開２００１−１３７３６０号公報）には、ローラー電極の側面部表面に導電部と絶縁部とを交互に配置して、導電部と被治療者の肌とを断続的に接触させることにより、被治療者に心地よい通電刺激が与えられるようにする技術が開示されている。
【０００５】
【特許文献１】特開２００２−１４３３２３号公報
【特許文献２】特開２００２−１４３３２４号公報
【特許文献３】特開２００２−１４３３２５号公報
【特許文献４】特開２００１−１３７３５８号公報
【特許文献５】特開２００１−１３７３６０号公報
【考案の開示】
【考案が解決しようとする課題】
【０００６】
従来の電位治療器の局部治療具にあっては、ローラー電極使用時に発生する騒音までは配慮されていないので、金属性の摩擦音が鳴り響いて不快になるという課題があった。更に、ローラーの回転により、金属製のローラーの回転軸が短期間に磨耗するという課題があった。
【０００７】
また、従来の電位治療器の局部治療具にあっては、被治療者が、ペン電極やローラー電極を使用するに際して、電気的な刺激に対する配慮はなされているが、機械的な安全性については配慮されていないので、例えば、ローラー電極使用時に、ローラーとローラー設置口との間に被治療者の体毛や、特に老人のたるんだ皮膚が巻き込まれる恐れがあるという課題があった。
【０００８】
図５は、従来の電位治療器の局部治療具のローラー設置口の形状を示す縦断面図である。同図に示すように、従来の電位治療器の局部治療具では、ローラー設置口９３の先端部の形状は鋭角的であるので、ローラー電極を被治療者の身体に当てて転がしたときに、ローラー設置口９３と被治療者の体毛や皮膚との間に摩擦力を生じ、ローラー電極とローラー設置口との間に被治療者の体毛や、特に老人のたるんだ皮膚が巻き込まれ易いという課題があった。
【０００９】
本考案は、前記従来の課題を解決すべくなされたものであって、ローラー電極使用時に金属性の不快な摩擦音を発生させることがなく、ローラー電極の回転がよい電位治療器における局部治療具を提供することにある。
本考案の他の目的は、ローラー電極とローラー設置口との間に被治療者の体毛や皮膚が巻き込まれることを抑止することができる電位治療器における局部治療具を提供することを目的としている。
【課題を解決するための手段】
【００１０】
前記課題を解決するために、請求項１記載の考案は、被治療者の身体に高電位を印加して、前記高電位の作用により前記被治療者の治療や健康増進を図る電位治療器における局部治療具であって、被治療者の手によって把持される把持部と、被治療者の局部に高電位を印加するためのローラー電極とを備え、且つ前記ローラー電極と回転軸との間に挿入されているベアリングが、導電性樹脂で形成されていることを特徴とする。
【００１１】
前記構成とすることにより、ローラー電極に高電位を印加することを可能にすると共に、ベアリング部分の機械的磨耗を抑止し、ローラー電極の回転をよくし、且つ金属性の摩擦音の発生を抑止することができる電位治療器における局部治療具を実現している。
【００１２】
また、請求項２記載の考案は、請求項１記載の電位治療器における局部治療具において、ペン電極を配設したことを特徴とする。                          
【００１３】
前記構成とすることにより、被治療者は、ローラー電極の外に、更に局部を集中的に治療できるペン電極も使用できるので、使い勝手の良い電位治療器における局部治療具を実現している。  
【００１４】
更に、請求項３記載の考案は、請求項１記載の電位治療器における局部治療具において、前記把持部の延長線上に、前記ローラー電極を収納するローラーホルダーを内部に配設する胴体部を備え、前記胴体部より前記ローラー電極を突出させるローラー設置口の先端部の形状に丸みを持たせることにより、被治療者の体毛や皮膚が前記ローラーホルダー内に巻き込まれることを抑止したことを特徴とする。
【００１５】
前記構成とすることにより、ローラー電極を被治療者の身体に当てて転がしたときに、ローラー設置口の先端部と被治療者の体毛や皮膚との間の摩擦力が小さいので、ローラー電極とローラー設置口との間に被治療者の体毛や皮膚を従来よりも巻き込み難くした電位治療器における局部治療具を実現している。
【００１６】
更にまた、請求項４記載の考案は、請求項１乃至３のいずれか１項に記載の電位治療器における局部治療具において、前記ローラー電極及び／または前記ペン電極に、電位治療器本体からの高電位が被治療者の身体に印加されている時にはランプを点灯させるネオンパネルを備えたことを特徴とする。
【００１７】
前記構成とすることにより、被治療者や医療関係者は、ネオンパネルにおけるランプの点灯を確認することにより、確かに高電位が印加されている状態で本治療具を使用することが可能となり、また、高電位印加時における本治療具の不用意な取扱いを防止することができる電位治療器における局部治療具を実現している。
【考案の効果】
【００１８】
本考案の電位治療器における局部治療具によれば、ローラー電極と回転軸との間に挿入されるベアリングを、導電性樹脂で形成したことにより、ローラー電極への高電位の印加を保証しながら、ベアリング部分の機械的磨耗を抑止し、ローラー電極の回転をよくし、且つ金属性の摩擦音の発生を抑止することができる電位治療器における局部治療具を提供することができる効果がある。
また、ローラー電極を収納するローラーホルダーを内部に配設する胴体部よりローラー電極を突出させるローラー設置口の先端部の形状に丸みを持たせたので、被治療者の体毛や皮膚が前記ローラーホルダー内に巻き込まれることを抑止することができる効果がある。
【００１９】
更に、ペン電極を、ローラー電極と共に配設することにより、ローラー電極よりも更に局部を集中的に治療できる機能を備え、使い勝手が良くなる効果がある。                                    
【００２０】
更にまた、ローラー電極及び／またはペン電極に、電位治療器本体からの高電位が被治療者の身体に印加されている時には、ランプを点灯させるネオンパネルを備えたので、被治療者は、ネオンパネルにおけるランプの点灯を確認することにより、確実に高電位が印加されている状態で本治療具を使用することが可能となり、また、高電位印加時における本治療具の不用意な取扱いを防止することができる効果がある。
【考案を実施するための最良の形態】
【００２１】
以下、本考案の電位治療器における局部治療具の最良の実施形態について、図面を参照して詳細に説明する。
【００２２】
図１は、本考案の実施形態に係る電位治療器における局部治療具の全体の斜視図である。同図において、本実施形態の電位治療器における局部治療具１は、被治療者の手で把持する把持部１１と、被治療者の局部にローラーを当てて転がしながら高電位を印加するためのローラー電極１２と、被治療者の局部にペン先を当てて高電位を印加するためのペン電極１３と、高電位の印加（通電）を確認するためのネオンパネル１４とが胴体部１５にそれぞれ配設されている。この他に、ペン電極１３の取り替え用として、例えば、ペン電極１３Ａ、ペン電極１３Ｂを備えることができる。
【００２３】
以下、本実施形態の電位治療器における局部治療具の機能を説明する。把持部１１は、被治療者が手で全体を把持する部分であり、例えば、合成樹脂、ゴム、皮革等の絶縁体を素材として構成することができる。ローラー電極１２は、被治療者の局部に当てて転がしながら高電位を印加するための医療治具であり、金属や導電性の合成樹脂等を素材として構成することができる。なお、本考案では、ローラー電極１２の回転軸２３を構成する素材に導電性樹脂ベアリングを使用するものとする。これにより、回転軸２３の磨耗を抑止すると共に、ローラー電極１２の回転を滑らかにして金属性の摩擦音の発生を抑止することができる。このローラー電極１２は、把持部１１とは反対側の端部片面に配設される。
【００２４】
前記ローラー電極１２およびペン電極１３には、それぞれ電位治療器本体が発生させる高電位が、高抵抗を介して接続される。ペン電極１３は、被治療者の局部にペン先を当てて高電位を印加するための治療治具であり、金属や導電性の合成樹脂等を素材として構成することができる。なお、本考案では、ペン電極１３を、胴体部１５において、ローラー電極１２が配設されている側面とは反対側の側面に、胴体部１５とはＬ字型または略Ｌ字型をなす角度に配設されている。このペン電極１３には取り替え用として、例えば、先端部の丸みや径が、ペン電極１３とは異なるペン電極１３Ａ、ペン電極１３Ｂを備えることができる。
【００２５】
前記ネオンパネル１４は、高電位の印加（通電）を確認するためのランプ（ネオンランプ等）を備える。このランプは、ローラー電極１２、若しくはペン電極１３，１３Ａ，１３Ｂ等を、治療者の局部（患部等）に当てた時に点灯するものとする。胴体部１５は、把持部１１及びその延長部分であり、ローラー電極１２、ペン電極１３、及びネオンパネル１４を配設するためのボディ（母体）をなす。
【００２６】
図２は、本考案の実施形態に係る電位治療器における局部治療具のローラー部の構成を示す組立分解斜視図である。同図に示すように、本考案の実施形態に係る電位治療器における局部治療具のローラー部２０は、ローラー電極１２と、導電性ベアリング２１Ａ，２１Ｂと、ローラーホルダー２２と、回転軸２３と、軸受けネジ２４と、コード配線部２４とを、を備えて構成される。
【００２７】
本考案では、導電性ベアリング２１Ａ，２１Ｂとして導電性樹脂を素材として製造されたベアリングを使用するものとし、これにより、回転軸２３の磨耗を抑止すると共に、ローラー電極１２の回転を滑らかにして、金属性の摩擦音の発生を抑止する。
また、本考案では、導電性ベアリング２１Ａ，２１Ｂを構成する前記導電性樹脂の導電率は問題にする必要がない。被治療者の身体には電位だけを印加して電流は抑制する必要があるので、前記導電性樹脂の導電率は小さくともよい。
【００２８】
図３は、本考案の実施形態に係る電位治療器における局部治療具のローラー部の縦断面図である。組み立てに際しては、円筒状のローラー電極１２に導電性ベアリング２１Ａ，２１Ｂを挿通し、全体をローラーホルダー２２に収納した後、ローラーホルダー２２の一端に回転軸２３を挿通し、更に他端から軸受けネジ２４を用いて、コード配線部２５を軸受けネジ２４に挿通してから、回転軸２３を螺子止めする（図３参照）。
【００２９】
図４は、本考案の実施形態に係る電位治療器における局部治療具のローラー設置口を示す縦断面図である。同図に示すように、本考案に係る電位治療器における局部治療具１は、ローラー設置口３１の先端部の形状に丸みを持たせているので、ローラー電極１２を被治療者の身体に当てて転がしたときに、ローラー設置口３１の先端部と被治療者の体毛や皮膚との間の摩擦力が小さいので、ローラー電極１２とローラー設置口３１との間に被治療者の体毛や皮膚を従来よりも巻き込まれ難い（図５参照）。
【図面の簡単な説明】
【００３０】
【図１】本考案電位治療器における局部治療具の全体の斜視図である。
【図２】本考案電位治療器における局部治療具のローラー部の構成を示す組立分解斜視図である。
【図３】本考案電位治療器における局部治療具のローラー部の縦断面図である。
【図４】本考案電位治療器における局部治療具のローラー設置口を示す縦断面図である。
【図５】従来の電位治療器の局部治療具のローラー設置口を示す縦断面図である。
【符号の説明】
【００３１】
１  電位治療器における局部治療具
１１  把持部
１２  ローラー電極
１３  ペン電極
１４  ネオンパネル
２０  ローラー部
２１Ａ，２１Ｂ  導電性ベアリング
２２  ローラーホルダー
２３  回転軸
２４  軸受けネジ
２５  コード配線部
３１  ローラー設置口
【図１】
0003117485.tif 000003
【図２】
0003117485.tif 000004
【図３】
0003117485.tif 000005
【図４】
0003117485.tif 000006
【図５】
0003117485.tif 000007